(57)【要約】      （修正有）【課題】複数の異なる数字や符号を備えるゴルフクラブヘッドカバーの番号表示器を提供する。【解決手段】番号表示窓とゴルフクラブのヘッドカバーに連結させるための連接装置とを含むケースを備えたゴルフクラブヘッドカバー用スライド式番号表示器であって、前記ケース１，２の内部に間欠的に回転できる回転輪４および回転輪を貫通する回転軸５が設けられ、回転輪の片側に回転輪に連結されるスライド装置６が設けられ、他方の側に回転輪の逆回転を防止する逆止装置９が設けられ、複数の異なる番号４３が回転輪の周方向に分布しており、回転輪が間欠的に回転するとき、各番号が順次ケースの番号表示窓を通って表示されることを特徴とするゴルフクラブヘッドカバー用スライド式番号表示器。【選択図】図３
0003135974.tif 000002
【実用新案登録請求の範囲】
【請求項１】
番号表示窓とゴルフクラブのヘッドカバーに連結させるための連接装置とを含むケースを備えたゴルフクラブヘッドカバー用スライド式番号表示器であって、前記ケースの内部に間欠的に回転できる回転輪および回転輪を貫通する回転軸が設けられ、回転輪の片側に回転輪に連結されるスライド装置が設けられ、他方の側に回転輪の逆回転を防止する逆止装置が設けられ、複数の異なる番号が回転輪の周方向に分布しており、回転輪が間欠的に回転するとき、各番号が順次ケースの番号表示窓を通って表示されることを特徴とするゴルフクラブヘッドカバー用スライド式番号表示器。
【請求項２】
前記回転輪に連結されるスライド装置が、スライドレバー、伝動ラチェット輪および捩りコイルバネを含み、スライドレバーと伝動ラチェット輪は一体に成型され、スライドレバーはケース上の一定の揺動ストロークを有するスライド溝内に所在し、スライドレバーの外側端はケースから伸出し、伝動ラチェット輪は回転軸の一端に挿置され、その内側が回転輪のラチェットに嵌合して回転輪の間欠的回転を帯動し、捩りコイルバネの一端が伝動ラチェット輪に固定され、他方の一端がケースに当接されることを特徴とする請求項１記載のゴルフクラブヘッドカバー用スライド式番号表示器。
【請求項３】
前記伝動ラチェット輪は一体成型されたバネ固定柱を備え、捩りコイルバネの一端が該バネ固定柱に固定され、他方の一端がケース内側の位置決め溝内に当接されることを特徴とする請求項２記載のゴルフクラブヘッドカバー用スライド式番号表示器。
【請求項４】
前記回転輪の逆回転を防止する逆止装置が、回転軸の一端に挿置される逆止ラチェット輪を含み、該逆止ラチェット輪の辺縁には突起ブロックがあり、該突起ブロックがケースに設けられたブロック溝に係入されて、逆止ラチェット輪を周方向に固定し、同時に、該逆止ラチェット輪の内側が回転輪のラチェットに嵌合して回転輪の逆回転を阻止することを特徴とする請求項１記載のゴルフクラブヘッドカバー用スライド式番号表示器。
【請求項５】
前記ケースは番号表示窓をそれぞれ有する前カバーと後カバーで構成され、前カバーと後カバーとの間はほぞとほぞ溝の嵌合により連結され、さらに接着剤で固定されることを特徴とする請求項１〜４のいずれか１項記載のゴルフクラブヘッドカバー用スライド式番号表示器。
【請求項６】
前記ケース上にあってゴルフクラブヘッドカバーに連結される連接装置は、布片を穿通してゴルフクラブのヘッドカバーに連結するための長孔であることを特徴とする請求項１〜４のいずれか１項記載のゴルフクラブヘッドカバー用スライド式番号表示器。
【考案の詳細な説明】
【技術分野】
【０００１】
本考案はゴルフクラブのヘッドカバーに用いる番号表示器に関し、特に表示する番号を必要に応じて変更できるスライド式番号表示器に関する。
【背景技術】
【０００２】
ヘッドカバーを使ってゴルフクラブを保護することは、プレーヤーが常用する手段である。特にウッドは通常、１番、３番、５番およびパターＸ番と分かれ、値段が高価であるため、使用しないでクラブケースに放置する際には、適切な管理を要する。従来におけるゴルフクラブのカバーは、通常ヘッドカバーと本体カバーからなり、ヘッドカバーはネルなどの良質な材料で縫製され、本体カバーは弾力性のある材質で長筒形に作製して、これによりクラブ全体を保護している。
【考案の開示】
【考案が解決しようとする課題】
【０００３】
ヘッドカバーでゴルフクラブをカバーする場合、ヘッド全体が覆われてしまうため、クラブの番号が見えなくなる。そこで、カバー上面に数字や英字を刺繍して、当該カバーをその番号のクラブの専用カバーにする方法がある。しかしこの方法では、いずれのカバーも専用カバーとなって、別のクラブには使えなくなるため利便的ではない。
【０００４】
さらに、カバー上部に布片で番号ラベルを連結する方法がある。番号の数字や符号を見れば、覆われたクラブの番号が分かる。この方法はカバーに異なる番号ラベルを連結することによって、カバーをどのクラブにも使うことができる。しかし、番号ラベルが散在し、紛失や脱落の問題が常に発生するため、使用上便利ではない。特に、１つのカバーに対して複数の番号ラベルが必要になるので、複数のカバーには複数組の番号ラベルを準備しなければならず、携帯に不便であり、これも大きな欠点である。
【課題を解決するための手段】
【０００５】
本考案は従来技術の課題に鑑み、複数の異なる数字や符号を備えるゴルフクラブヘッドカバーの番号表示器を提供する。ユーザーはこれにより、表示される番号を必要に応じて簡単に変更できる。
【０００６】
上記技術上の課題を解決するため、本考案は次のような技術案を採用する。ゴルフクラブヘッドカバー用スライド式番号表示器を設計し、番号表示窓とゴルフクラブヘッドカバーに連結させる連接装置とを含むケースを備えさせ、前記ケースの内部には間欠的に回転できる回転輪および該回転輪を貫通する回転軸を設け、回転輪の片側に回転輪に連結されるスライド装置を設け、他方の側に回転輪の逆回転を防止する逆止装置を設け、複数の異なる番号を回転輪の周方向に分布させ、回転輪が間欠的に回転するとき、各番号が順番に１つずつケースの番号表示窓を通って表示されるようにする。
【０００７】
前記回転輪に連結されるスライド装置は、スライドレバー、伝動ラチェット輪および捩りコイルバネを含み、スライドレバーと伝動ラチェット輪が一体に成型され、スライドレバーはケース上の一定の揺動ストロークを有するスライド溝内に所在し、スライドレバーの外側端はケースから伸出し、伝動ラチェット輪は回転軸の一端に挿置され、その内側が回転輪のラチェットに嵌合して回転輪の間欠的回転を帯動し、捩りコイルバネの一端が伝動ラチェット輪に固定され、他方の一端がケースに当接される。前記伝動ラチェット輪には一体成型されたバネ固定柱があり、捩りコイルバネの一端が該バネ固定柱に固定され、他方の一端がケース内側の位置決め溝内に当接される。
【０００８】
前記回転輪の逆回転を防止する逆止装置は、回転軸の一端に挿置される逆止ラチェット輪を含み、この逆止ラチェット輪の辺縁には突起ブロックがあって、この突起ブロックがケースに設けられたブロック溝内に係入されて、逆止ラチェット輪を周方向に固定し、同時に該逆止ラチェット輪の内側と回転輪のラチェットが嵌合して回転輪の逆回転を阻止する。
【０００９】
前記ケースは番号表示窓をそれぞれ有する前カバーと後カバーで構成され、前カバーと後カバーとの間はほぞとほぞ溝の嵌合により連結され、さらに接着剤で固定される。
【００１０】
前記ケース上にあってゴルフクラブのヘッドカバーに連結される連接装置は、布片を穿通してゴルフクラブヘッドカバーに結び付けるための長孔である。
【００１１】
本考案は、複数の異なる数字や符号を一体化したゴルフクラブのヘッドカバー用番号表示器であって、ユーザーは表示する番号を必要に応じて簡単に変更でき、１つの番号表示器で複数の常用するクラブの番号を表示する機能を実現し、複数の識別標を携帯する煩雑さを解消し、使用が簡便である等有益な効果を達成できる。
【考案を実施するための最良の形態】
【００１２】
図１乃至図１３は、本考案のゴルフクラブヘッドカバー用スライド式番号表示器の一実施形態を示している。この番号表示器は、形状・サイズが基本的に対称の前カバー１と後カバー２により構成されたケースを含み、前カバー１および後カバー２にそれぞれ番号表示窓１１および２１があり、前カバー１と後カバー２との間は、後カバー２のほぞ２２と前カバーのほぞ溝１２の嵌合により連結され、さらに接着剤で固定される。ケースの頂部にはゴルフクラブヘッドカバーに連結できる連接装置があり、好ましくはこの連接装置は布片を穿通させてゴルフクラブヘッドカバーに連結させるための長孔３とする。
【００１３】
前記ケース内には間欠的に回転できる回転輪４と回転輪を貫通する回転軸５が設けられ、回転軸の右端はケース内側の右軸座５２に支持され、回転輪４の片側に回転輪４に連結されるスライド装置６が設けられ、このスライド装置６は回転軸５の右端に挿置され、スライドレバー６１、伝動ラチェット輪６２および捩りコイルバネ６３を含み、スライドレバー６１と伝動ラチェット輪６２は一体に成型され、スライドレバーはケース上の一定の揺動ストロークを有するスライド溝７内に所在し、スライドレバー６１の外側端はケースから伸出し、伝動ラチェット輪６２は回転軸５に挿置され、伝動ラチェット輪６２の内側が回転輪４の右ラチェット４１に嵌合して回転輪４の間欠的回転を帯動し、捩りコイルバネ６３の一端が伝動ラチェット輪６２のバネ固定柱６４に固定され、他方の一端がケース内側の位置決め溝８内に当接される。回転輪４の他方の側に回転輪４の逆回転を防止する逆止装置９があり、該逆止装置９は回転軸５の左端に挿置され、逆止ラチェット輪９１を含み、該逆止ラチェット輪９１がケース内側表面の凹溝９３内に設けられ、該凹溝９３内にはさらに回転軸５の左端を支持する左軸座５１があり、逆止ラチェット輪９１の辺縁には突起ブロック９２があり、この突起ブロック９２を凹溝９３側のブロック溝１０に係入して、逆止ラチェット輪９１の周方向の回転を規制し、同時に該逆止ラチェット輪９１の内側が回転輪４の左ラチェット４２に嵌合して、回転輪４の逆回転を阻止する。回転輪４の周方向には複数の異なる番号４３が分布しており、回転輪４が間欠的に回転するとき、回転輪上の各番号４３は順番に１つずつケースの番号表示窓１１および２１を通過して表示される。
【００１４】
開始状態では、スライドレバー６１はケースのスライド溝７の上端に位置している。スライドレバー６１の外側端はスライド溝７から伸出し、スライド装置６には捩りコイルバネ６３が設けられ、該捩りコイルバネ６３の一端が伝動ラチェット輪６２のバネ固定柱６４に固定され、他方の一端がケース内側の位置決め溝８内に当接しているため、スライドレバー６１を下向きに移動させる場合、バネ６３のばね力を克服しなければならない。バネ６３のばね力を克服しスライドレバー６１を下向きに移動させる過程で、伝動ラチェット輪６２はスライドレバー６１と一緒に回転し、かつ伝動ラチェット輪６２の内側が回転輪４の右ラチェット４１と噛み合い、回転輪４の同期回転を帯動する。スライドレバー６１がスライド溝７の下端に移動すると、回転輪４はちょうど次の番号を表示する位置まで回転し、このときスライドレバー６１を放すと、伝動ラチェット輪６２は捩りコイルバネ６３のばね力により逆回転して最初の位置に戻り、スライドレバー６１もスライド溝７の上端に移動する。しかし、伝動ラチェット輪６２は逆回転の過程で、その内側は回転輪４の右ラチェット４１と噛み合わず、その上をスライドし、同時に回転輪４の左側に逆止ラチェット輪９１が設けられているため、回転輪４は固定されたまま動かない。以上の操作を繰り返して行えば、回転輪は毎回一定角度だけ回転し、番号を一つずつ表示できる。
【００１５】
以上は本考案の好ましい実施形態である。実際には、本分野の一般的な技術者であれば、本考案の主旨を逸脱しないことを前提として、若干の変更或いは改善を実現できる。これらの変更或いは改善の実施も本考案の保護対象である。
【図面の簡単な説明】
【００１６】
【図１】本考案における正面立体図である。
【図２】本考案における背面立体図である。
【図３】本考案におけるパーツ分解図である。
【図４】前カバーの正面図である。
【図５】図４に示した前カバーのA-Aにおける断面図である。
【図６】図４に示した前カバーの内側面の概略図である。
【図７】後カバーの正面図である。
【図８】図７に示した後カバーのB-Bにおける断面図である。
【図９】図７に示した後カバーの内側面の概略図である。
【図１０】回転輪の右側概略図である。
【図１１】回転輪の左側概略図である。
【図１２】図１０に示した回転輪のC-Cにおける断面図である。
【図１３】スライド装置の概略図である。
【符号の説明】
【００１７】
１，前カバー
２，後カバー
３，長孔
４，回転輪
５，回転軸
６，スライド装置
７，スライド溝
８，位置決め溝
９，逆止装置
１０，ブロック溝
１１，２１  番号表示窓
１２，ほぞ溝
２２，ほぞ
４１，右ラチェット
４２，左ラチェット
４３，番号
５１，左軸座
５２，右軸座
６１，スライドレバー
６２，伝動ラチェット輪
６３，捩りコイルバネ
６４，バネ固定柱
９１，逆止ラチェット輪
９２，突起ブロック
９３，凹溝
【図１】
0003135974.tif 000003
【図２】
0003135974.tif 000004
【図３】
0003135974.tif 000005
【図４】
0003135974.tif 000006
【図５】
0003135974.tif 000007
【図６】
0003135974.tif 000008
【図７】
0003135974.tif 000009
【図８】
0003135974.tif 000010
【図９】
0003135974.tif 000011
【図１０】
0003135974.tif 000012
【図１１】
0003135974.tif 000013
【図１２】
0003135974.tif 000014
【図１３】
0003135974.tif 000015